(57)【要約】【課題】疲れ等の所持者の負荷に応じた移動情報を所持者に手間をかけさせることなく提供する。【解決手段】取得した情報に基づいて情報処理装置の所持者の行動を割り出す行動割出部１０と、行動割出部１０にて割り出された所持者の行動に基づいて所持者の負荷を推定する負荷推定部２０と、負荷推定部２０にて推定された負荷に応じた移動情報を提供する移動情報提供部３０とを有する。【選択図】図１
2012225820.tif 000002
【特許請求の範囲】
【請求項１】
情報処理装置であって、
取得した情報に基づいて前記情報処理装置の所持者の行動を割り出す行動割出手段と、
前記行動割出手段にて割り出された前記所持者の行動に基づいて前記所持者の負荷を推定する負荷推定手段と、
前記負荷推定手段にて推定された負荷に応じた移動情報を提供する移動情報提供手段とを有する情報処理装置。
【請求項２】
請求項１に記載の情報処理装置において、
前記行動割出手段は、
前記情報処理装置の位置情報を取得する位置情報取得手段と、
前記位置情報取得手段にて取得された位置情報に基づいて前記所持者の移動状況を割り出す移動割出手段とを有し、
前記負荷推定手段は、前記移動割出手段にて算出された前記所持者の移動状況に基づいて前記所持者の負荷を推定する情報処理装置。
【請求項３】
請求項２に記載の情報処理装置において、
前記移動割出手段は、前記位置情報取得手段にて取得された位置情報に基づいて前記所持者の移動時間を算出し、
前記負荷推定手段は、前記移動割出手段にて算出された前記所持者の移動時間に基づいて前記所持者の負荷を推定する情報処理装置。
【請求項４】
請求項２または請求項３に記載の情報処理装置において、
前記移動割出手段は、前記位置情報取得手段にて取得された位置情報に基づいて前記所持者の所定地点における滞在時間を算出し、
前記負荷推定手段は、前記移動割出手段にて算出された前記所持者の滞在時間に基づいて前記所持者の負荷を推定する情報処理装置。
【請求項５】
請求項１乃至４のいずれか１項に記載の情報処理装置において、
アラーム報知を行う報知手段を有し、
前記行動割出手段は、
前記報知手段にてアラーム報知時刻が設定された時刻と前記アラーム報知時刻とを取得する時刻取得手段と、
前記時刻取得手段にて取得された時刻に基づいて前記所持者の睡眠時間を算出する睡眠時間算出手段とを有し、
前記負荷推定手段は、前記睡眠時間算出手段にて算出された前記所持者の睡眠時間に基づいて前記所持者の負荷を推定する情報処理装置。
【請求項６】
情報処理装置にて情報を提供する情報提供方法であって、
前記情報処理装置が、取得した情報に基づいて前記情報処理装置の所持者の行動を割り出す行動割出処理と、
前記情報処理装置が、前記行動割出処理にて割り出された前記所持者の行動に基づいて前記所持者の負荷を推定する負荷推定処理と、
前記情報処理装置が、前記負荷推定処理にて推定された負荷に応じた移動情報を提供する移動情報提供処理とを有する情報提供方法。
【請求項７】
情報処理装置に、
取得した情報に基づいて前記情報処理装置の所持者の行動を割り出す手順と、
前記割り出された前記所持者の行動に基づいて前記所持者の負荷を推定する手順と、
前記推定された負荷に応じた移動情報を提供する手順とを実行させるためのプログラム。
【発明の詳細な説明】
【技術分野】
【０００１】
本発明は、携帯電話機や携帯音楽プレーヤー、あるいは携帯ゲーム機等の情報処理装置を用いて情報を提供する技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになっている。そして、公共の交通機関の乗り換え案内を提供するサービスを受けることもでき、携帯電話機の所持者は、最寄り駅から目的の駅までのルート案内を容易に行うことができる。
【０００３】
一般的に、このようなサービスにおいては、到着までの時間や料金等の順に携帯電話機にルートが表示されることになるが、携帯電話機の所持者が疲れている場合等、電車内で座って移動したい場合においても、そのような所持者の希望に応じた案内までは提供されない。疲れている携帯電話機の所持者にとっては、目的地までの時間や料金よりも座って寝ながら移動する方が重要な場合がある。
【０００４】
ここで、携帯電話機に所持者の健康情報を入力すると、その健康情報に応じた経路を提供する技術が特許文献１に開示されている。この技術を用いれば、携帯電話機の所持者が疲れている場合にその旨を入力することで、電車内で座って移動できるような経路が所持者に提供されることになる。
【先行技術文献】
【特許文献】
【０００５】
【特許文献１】特開２００７−５１８７２号公報
【発明の概要】
【発明が解決しようとする課題】
【０００６】
しかしながら、特許文献１に開示されたような技術においては、携帯電話機の所持者が疲れている等といった携帯電話機の所持者の健康状態を入力する必要があり、手間がかかってしまうという問題点がある。ましてや、携帯電話機の所持者がかなり疲れている場合、そのように健康状態を入力する等といった作業は面倒他ならない。
【０００７】
本発明は、上述したような技術が有する問題点に鑑みてなされたものであって、疲れ等の所持者の負荷に応じた移動情報を所持者に手間をかけさせることなく提供することができる、情報処理装置、情報提供方法及びプログラムを提供することを目的とする。
【課題を解決するための手段】
【０００８】
上記目的を達成するために本発明は、
情報処理装置であって、
取得した情報に基づいて前記情報処理装置の所持者の行動を割り出す行動割出手段と、
前記行動割出手段にて割り出された前記所持者の行動に基づいて前記所持者の負荷を推定する負荷推定手段と、
前記負荷推定手段にて推定された負荷に応じた移動情報を提供する移動情報提供手段とを有する。
【０００９】
また、情報処理装置にて情報を提供する情報提供方法であって、
前記情報処理装置が、取得した情報に基づいて前記情報処理装置の所持者の行動を割り出す行動割出処理と、
前記情報処理装置が、前記行動割出処理にて割り出された前記所持者の行動に基づいて前記所持者の負荷を推定する負荷推定処理と、
前記情報処理装置が、前記負荷推定処理にて推定された負荷に応じた移動情報を提供する移動情報提供処理とを有する。
【００１０】
また、情報処理装置に実行させるためのプログラムであって、
取得した情報に基づいて前記情報処理装置の所持者の行動を割り出す手順と、
前記割り出された前記所持者の行動に基づいて前記所持者の負荷を推定する手順と、
前記推定された負荷に応じた移動情報を提供する手順とを有する。
【発明の効果】
【００１１】
本発明は、所持者が何ら情報を入力することなく、所持者の負荷に応じた移動情報を提供することができる。
【図面の簡単な説明】
【００１２】
【図１】本発明の情報処理装置の概要を示す図である。
【図２】図１に示した情報処理装置の第１の実施の形態を示す図である。
【図３】図２に示した携帯電話機の動作を説明するためのフローチャートである。
【図４】図１に示した情報処理装置の第２の実施の形態を示す図である。
【図５】図４に示した携帯電話機の動作を説明するためのフローチャートである。
【図６】図１に示した情報処理装置の第３の実施の形態を示す図である。
【図７】図６に示した携帯電話機の動作を説明するためのフローチャートである。
【発明を実施するための形態】
【００１３】
以下に、本発明の実施の形態について図面を参照して説明する。
【００１４】
図１は、本発明の情報処理装置の概要を示す図である。
【００１５】
本発明の情報処理装置は図１に示すように、行動割出部１０と、負荷推定部２０と、移動情報提供部３０とから構成されている。
【００１６】
行動割出部１０は、情報処理装置の一般的な機能を用いて取得した情報に基づいて情報処理装置の所持者の行動を割り出す。
【００１７】
負荷推定部２０は、行動割出部１０にて割り出された所持者の行動に基づいて所持者の疲れ等の負荷を推定する。
【００１８】
移動情報提供部３０は、負荷推定部２０にて推定された負荷に応じた交通機関の経路情報等の移動情報を提供する。
【００１９】
以下に、上記のように構成された情報処理装置について具体的な例を挙げて説明する。
【００２０】
（第１の実施の形態）
図２は、図１に示した情報処理装置の第１の実施の形態を示す図である。
【００２１】
本形態は図２に示すように、位置情報取得部１１１と、制御部１６０と、入力部１４０と、表示部１３２と、記憶部１５０とを有する携帯電話機１０１である。制御部１６０は、移動割出部１１２と、負荷推定部１２０と、経路検索部１３１とからなり、位置情報取得部１１１と移動割出部１１２とから図１に示した行動割出部１０が構成され、経路検索部１３１と表示部１３２とから図１に示した移動情報提供部３０が構成されている。
【００２２】
位置情報取得部１１１は、携帯電話機１０１の現在の位置情報を取得するものであって、その一例としてはＧＰＳを用いることが考えられるが、その他に、基地局との間の情報の送受信に基づいて把握される基地局との位置関係を用いることも考えられる。
【００２３】
入力部１４０は、情報を入力するためのキー等からなり、移動情報となる経路を検索する際に出発駅と到着駅とが入力される。
【００２４】
記憶部１５０は、Ｗａｌｋ  ｔｉｍｅ１５１と、経路情報１５２とが記憶されている。Ｗａｌｋ  ｔｉｍｅ１５１は、携帯電話機１０１の所持者がその日に歩いた時間である。経路情報１５２は、携帯電話機１０１にて提供する移動情報となる移動経路を検索するための情報である。
【００２５】
移動割出部１１２は、位置情報取得部１１１にて取得された携帯電話機１０１の位置情報に基づいて、携帯電話機１０１の所持者の移動状況を割り出すものであって、具体的には、位置情報取得部１１１にて取得された携帯電話機１０１の位置情報に基づいて、携帯電話機１０１の所持者の徒歩での移動時間を算出する。
【００２６】
負荷推定部１２０は、移動割出部１１２にて割り出された携帯電話機１０１の所持者の移動状況に基づいて、携帯電話機１０１の所持者の負荷を推定するものであって、具体的には、移動割出部１１２にて算出された携帯電話機１０１の所持者の徒歩での移動時間に基づいて、携帯電話機１０１の所持者のその移動に応じた疲れを推定する。
【００２７】
経路検索部１３１は、記憶部１５０に記憶された経路情報１５２を用いて、負荷推定部１２０にて推定された携帯電話機１０１の所持者の負荷となる疲れに応じた移動経路を検索する。
【００２８】
表示部１３２は、経路検索部１３１にて検索された移動経路を用いて、携帯電話機１０１の所持者の疲れに応じた電車乗換案内を表示出力する。
【００２９】
以下に、上記のように構成された携帯電話機１０１の動作について説明する。
【００３０】
図３は、図２に示した携帯電話機１０１の動作を説明するためのフローチャートである。
【００３１】
まず、携帯電話機１０１の所持者が、ルート検索を開始していない場合においては（ステップ１）、時刻が００：００になると（ステップ２）、記憶部１５０に記憶されたＷａｌｋ  ｔｉｍｅ１５１がクリアされる（ステップ３）。なお、記憶部１５０に記憶されたＷａｌｋ  ｔｉｍｅ１５１をクリアする時刻は、００：００であれば、その日の徒歩時間をＷａｌｋ  ｔｉｍｅ１５１として記憶部１５０に記憶することができるが、００：００に限らず、携帯電話機１０１の所持者が任意の時刻に設定することができる。
【００３２】
位置情報取得部１１１において携帯電話機１０１の位置情報が定期的に取得されており、移動割出部１１２は、位置情報取得部１１１にて取得されている携帯電話機１０１の位置情報に基づいて、携帯電話機１０１の所持者が徒歩で移動しているかどうかを判断する。具体的には、移動割出部１１２は、位置情報取得部１１１にて取得されている携帯電話機１０１の位置情報の変化に基づいて、携帯電話機１０１の位置の移動が１分あたりどのくらいかを算出し、８０ｍ程度であれば携帯電話機１０１の所持者が徒歩で移動していると判断する（ステップ４）。なお、携帯電話機１０１の所持者が徒歩で移動していると判断するための１分あたりの移動量の範囲は、適宜設定することができる。
【００３３】
移動割出部１１２は、携帯電話機１０１の所持者が徒歩で移動していると判断した場合、記憶部１５０に記憶されたＷａｌｋ  ｔｉｍｅ１５１に、携帯電話機１０１の所持者が徒歩で移動している時間を加算することで、Ｗａｌｋ  ｔｉｍｅ１５１を更新する（ステップ５）。このようにして、移動割出部１１２は、携帯電話機１０１の所持者が徒歩で移動している移動時間を算出することになる。
【００３４】
携帯電話機１０１の所持者が、出発駅と到着駅を入力部１４０を介して入力することでルート検索を開始すると、負荷推定部１２０は、記憶部１５０に記憶されたＷａｌｋ  ｔｉｍｅ１５１に基づいて、携帯電話機１０１の所持者の負荷となる疲労度を推定する。具体的には、負荷推定部１２０は、記憶部１５０に記憶されたＷａｌｋ  ｔｉｍｅ１５１が２４０分以上であれば（ステップ６）、疲労度が最も大きいと推定する。
【００３５】
そして、経路検索部１３１は、記憶部１５０に記憶された経路情報１５２のうち、入力部１４０を介して入力された出発駅と到着駅との間の経路について、負荷推定部１２０にて推定された疲労度に応じた経路を検索する。この場合、負荷推定部１２０にて推定された疲労度が最も大きなものであるため、費用が高くても確実に座れ、かつ、早く目的地に行くことができる新幹線（指定）のルートを検索する（ステップ７）。
【００３６】
また、負荷推定部１２０は、記憶部１５０に記憶されたＷａｌｋ  ｔｉｍｅ１５１が６０分以上２４０分未満であれば（ステップ８）、携帯電話機１０１の所持者の疲労度が中程度と推定する。そして、この場合は、携帯電話機１０１の所持者はやや疲れているので、新幹線に乗るまではないが確実に座れた方が良いため、経路検索部１３１は、多少並んでも確実に座れる在来線始発駅を経由するルートを優先的に検索する（ステップ９）。
【００３７】
また、負荷推定部１２０は、記憶部１５０に記憶されたＷａｌｋ  ｔｉｍｅ１５１が６０分未満の場合は、携帯電話機１０１の所持者は疲れていないと推定し、経路検索部１３１は、費用または時間優先の一般的なルートを検索する（ステップ１０）。
【００３８】
なお、このように、経路検索部１３１において、負荷推定部１２０にて推定した携帯電話機１０１の所持者の疲労度に応じたルートを検索するためには、経路検索部１３１において、記憶部１５０に記憶された経路情報１５２のそれぞれについて、携帯電話機１０１の所持者の疲労度に応じて検索する機能を設けたり、記憶部１５０に記憶された経路情報１５２を、負荷推定部１２０にて推定する疲労度の段階に応じて記憶しておいたりすることが考えられる。
【００３９】
その後、経路検索部１３１にて検索されたルートを表示部１３２にて表示出力することで、携帯電話機１０１の所持者の疲労度に応じたルートを提供する（ステップ１１）。なお、携帯電話機１０１の所持者の疲労度に応じて、上述したルート以外にも、乗り換え回数が少ないルートや、車内が空いているルートを提供することも考えられる。
【００４０】
このように本形態においては、携帯電話機１０１の位置情報が取得され、この位置情報を用いて携帯電話機１０１の所持者の移動時間が算出され、この移動時間に基づいて、携帯電話機１０１の所持者の疲労度が推定され、この疲労度に応じた移動経路が検索、提供されるので、所持者が何ら情報を入力することなく、所持者の負荷に応じた移動情報を提供することができる。
【００４１】
なお、本形態においては、負荷推定部１２０にて携帯電話機１０１の所持者の疲労度を推定するための条件として、記憶部１５０に記憶されたＷａｌｋ  ｔｉｍｅ１５１が２４０分以上である場合、記憶部１５０に記憶されたＷａｌｋ  ｔｉｍｅ１５１が６０分以上２４０分未満である場合、記憶部１５０に記憶されたＷａｌｋ  ｔｉｍｅ１５１が６０分未満の場合としたが、これらの時間は一例であって、任意に設定することができる。また、携帯電話機１０１の所持者の疲労度が最も大きいと推定された場合に検索するルートとしては、新幹線（指定）以外に、特急や快速、あるいはグリーン車が設定された列車を用いるルートであってもよい。また、携帯電話機１０１の所持者の疲労度が中程度と推定された場合に検索するルートとしては、在来線始発駅を経由するルートに限らず、時間やその乗り継ぎ等の関係で座れるルートであってもよい。
【００４２】
（第２の実施の形態）
図４は、図１に示した情報処理装置の第２の実施の形態を示す図である。
【００４３】
本形態は図４に示すように、第１の実施の形態に示したものに対して、記憶部２５０にＷａｌｋ  ｔｉｍｅ１５１の代わりに残業時間２５１が記憶されている点が異なるものであり、また、移動割出部２１２にて割り出す携帯電話機２０１の所持者の移動状況も異なるものである。
【００４４】
本形態における移動割出部２１２は、位置情報取得部２１１にて取得された携帯電話機２０１の位置情報に基づいて、携帯電話機２０１の所持者の残業時間を算出する。
【００４５】
負荷推定部２２０は、移動割出部２１２にて算出された携帯電話機２０１の所持者の会社における残業時間に基づいて、携帯電話機２０１の所持者の残業に応じた疲れを推定する。
【００４６】
以下に、上記のように構成された携帯電話機２０１の動作について説明する。
【００４７】
図５は、図４に示した携帯電話機２０１の動作を説明するためのフローチャートである。
【００４８】
位置情報取得部２１１において携帯電話機２０１の位置情報が定期的に取得されており、携帯電話機２０１の所持者が勤務する会社の定時後において、携帯電話機２０１の所持者がルート検索を開始していない場合（ステップ１０１）、移動割出部２１２は、位置情報取得部２１１にて取得されている携帯電話機２０１の位置情報に基づいて、携帯電話機２０１の所持者が所定地点となる会社に滞在しているかどうかを判断する。すなわち、携帯電話機２０１の所持者が残業しているかどうかを判断する。具体的には、移動割出部２１２は、位置情報取得部２１１にて取得されている携帯電話機２０１の位置と、携帯電話機２０１の所持者が勤務する会社の所在地との距離が、例えば１０ｍ等というように予め決められた値以上であるかどうかを検出することで、携帯電話機２０１の所持者が残業しているかどうかを判断する。
【００４９】
移動割出部２１２は、位置情報取得部２１１にて取得されている携帯電話機２０１の位置と、携帯電話機２０１の所持者が勤務する会社の所在地との距離が、例えば１０ｍ未満であることで、携帯電話機２０１の所持者が残業していると判断した場合は（ステップ１０２）、記憶部２５０に記憶された残業時間２５１に、携帯電話機２０１の所持者が会社に滞在している時間を加算することで、残業時間２５１を更新する（ステップ１０３）。また、携帯電話機２０１の所持者が勤務する会社の所在地との距離が１０ｍ以上となった場合は、携帯電話機２０１の所持者が帰宅したと判断する。このようにして、移動割出部２１２は、携帯電話機２０１の所持者の残業時間を算出することになる。
【００５０】
携帯電話機２０１の所持者が、出発駅と到着駅を入力部２４０を介して入力することでルート検索を開始すると、負荷推定部２２０は、記憶部２５０に記憶された残業時間２５１に基づいて、携帯電話機２０１の所持者の負荷となる疲労度を推定する。具体的には、負荷推定部２２０は、記憶部２５０に記憶された残業時間２５１が３時間以上であれば（ステップ１０４）、疲労度が大きいと推定する。
【００５１】
そして、経路検索部２３１は、記憶部２５０に記憶された経路情報２５２のうち、入力部２４０を介して入力された出発駅と到着駅との間の経路について、負荷推定部２２０にて推定された疲労度に応じた経路を検索する。この場合、負荷推定部２２０にて推定された疲労度が大きなものであるため、多少並んでも確実に座れる在来線始発駅を経由するルートを優先的に検索する（ステップ１０５）。
【００５２】
また、負荷推定部２２０は、記憶部２５０に記憶された残業時間２５１が３時間未満の場合は、携帯電話機２０１の所持者は疲れていないと推定し、経路検索部２３１は、費用または時間優先の一般的なルートを検索する（ステップ１０６）。なお、このルートは、携帯電話機２０１の所持者が所有する定期券を用いて通勤する経路である。
【００５３】
その後、経路検索部２３１にて検索されたルートを表示部２３２にて表示出力することで、携帯電話機２０１の所持者の疲労度に応じたルートを提供する（ステップ１０７）。
【００５４】
このように本形態においては、携帯電話機２０１の位置情報が取得され、この位置情報を用いて携帯電話機２０１の所持者の残業時間が算出され、この残業時間に基づいて、携帯電話機２０１の所持者の疲労度が推定され、この疲労度に応じた移動経路が検索、提供されるので、所持者が何ら情報を入力することなく、所持者の負荷に応じた移動情報を提供することができる。
【００５５】
（第３の実施の形態）
図６は、図１に示した情報処理装置の第３の実施の形態を示す図である。
【００５６】
本形態は図６に示すように、第１の実施の形態に示したものに対して、アラーム報知を行う報知部３７０が設けられており、また、行動割出手段である位置情報取得部１１１及び移動割出部１１２が設けられておらず、その代わりに、行動割出手段として制御部３６０内に時刻取得部３１１及び睡眠時間算出部３１２が設けられている点が異なるものである。また、記憶部３５０には、Ｗａｌｋ  ｔｉｍｅ１５１の代わりに睡眠時間３５１が記憶されている。
【００５７】
本形態における時刻取得部３１１は、報知部３７０にてアラーム報知時刻が設定された時刻と、アラーム報知時刻とを報知部３７０から取得する。
【００５８】
睡眠時間算出部３１２は、時刻取得部３１１にて取得された時刻に基づいて、携帯電話機３０１の所持者の睡眠時間を算出する。
【００５９】
負荷推定部３２０は、睡眠時間算出部３１２にて算出された携帯電話機２０１の所持者の睡眠時間に基づいて、携帯電話機３０１の所持者の残業に応じた疲れを推定する。
【００６０】
以下に、上記のように構成された携帯電話機３０１の動作について説明する。
【００６１】
図７は、図６に示した携帯電話機３０１の動作を説明するためのフローチャートである。
【００６２】
携帯電話機３０１の所持者がルート検索を開始していない場合において（ステップ２０１）、携帯電話機３０１の所持者が報知部３７０にて所望の時刻にアラーム報知を行う設定を行うと（ステップ２０２）、時刻取得部３１１は、アラーム報知時刻が設定された時刻と、アラーム報知時刻とを取得する（ステップ２０３）。
【００６３】
そして、睡眠時間算出部３１２は、時刻取得部３１１にて取得された、アラーム報知時刻が設定された時刻と、アラーム報知時刻とに基づいて、携帯電話機３０１の所持者の睡眠時間を算出し（ステップ２０４）、記憶部３５０にその睡眠時間３５１を記憶する。
【００６４】
携帯電話機３０１の所持者が、出発駅と到着駅を入力部３４０を介して入力することでルート検索を開始すると、負荷推定部３２０は、記憶部３５０に記憶された睡眠時間３５１に基づいて、携帯電話機３０１の所持者の負荷となる疲労度を推定する。具体的には、負荷推定部３２０は、記憶部３５０に記憶された睡眠時間３５１が５時間以下であれば（ステップ２０５）、疲労度が大きいと推定する。
【００６５】
そして、経路検索部３３１は、記憶部３５０に記憶された経路情報３５２のうち、入力部３４０を介して入力された出発駅と到着駅との間の経路について、負荷推定部３２０にて推定された疲労度に応じた経路を検索する。この場合、負荷推定部２２０にて推定された疲労度が大きなものであるため、多少並んでも確実に座れる在来線始発駅を経由するルートを優先的に検索する（ステップ２０６）。
【００６６】
また、負荷推定部３２０は、記憶部３５０に記憶された睡眠時間３５１が５時間を超えている場合は、携帯電話機３０１の所持者は疲れていないと推定し、経路検索部３３１は、費用または時間優先の一般的なルートを検索する（ステップ２０７）。
【００６７】
その後、経路検索部３３１にて検索されたルートを表示部３３２にて表示出力することで、携帯電話機３０１の所持者の疲労度に応じたルートを提供する（ステップ２０８）。
【００６８】
このように本形態においては、携帯電話機３０１にてアラーム報知時刻が設定された時刻と、アラーム報知時刻とが取得され、これらの時刻を用いて携帯電話機３０１の所持者の睡眠時間が算出され、この睡眠時間に基づいて、携帯電話機３０１の所持者の疲労度が推定され、この疲労度に応じた移動経路が検索、提供されるので、所持者が何ら情報を入力することなく、所持者の負荷に応じた移動情報を提供することができる。
【００６９】
なお、上述した３つの実施の形態においては、携帯電話機１０１，２０１，３０１の所持者が出発駅と到着駅を、入力部１４０，２４０，３４０を介して入力することでルート検索が開始されているが、通勤等においては出発駅と到着駅とが決まっているため、これらの情報を携帯電話機１０１，２０１，３０１の記憶部１５０，２５０，３５０に記憶させておき、出発駅と到着駅を入力することなく、ルート検索を行う構成としてもよい。
【００７０】
また、上述した３つの実施の形態に示したものを組み合わせた構成としてもよい。例えば、第１の実施の形態にて示した移動割出部１１２において、位置情報取得部１１１にて取得された携帯電話機１０１の位置情報に基づいて所持者の残業時間を算出し、負荷推定部１２０において、移動割出部１１２にて算出された残業時間に基づいて所持者の負荷を推定する構成としてもよい。また、第２の実施の形態にて示した移動割出部２１２において、位置情報取得部２１１にて取得された携帯電話機２０１の位置情報に基づいて所持者の徒歩時間を算出し、負荷推定部２２０において、移動割出部２１２にて算出された徒歩時間に基づいて所持者の負荷を推定する構成としてもよい。また、第３の実施の形態に示したものに、第１または第２の実施の形態にて示した位置情報取得部１１１，２１１を加えるとともに、第１または第２の実施の形態にて示した移動割出部１１２，２１２を制御部３６０の構成要素とし、負荷推定部３２０において、移動割出部１１２，２１２にて算出された徒歩時間や残業時間に基づいて所持者の負荷を推定する構成としてもよい。
【００７１】
また、本発明の情報処理装置は、上述したような携帯電話機に限らず、携帯音楽プレーヤーや携帯ゲーム機等であってもよく、また、自動車での移動においては、カーナビであってもよい。例えば、カーナビに適用した場合について、以下に説明する。
【００７２】
カーナビを利用して自動車で移動する場合においても、ルート検索を行うと、上述したような徒歩時間や残業時間、あるいは睡眠時間等の条件に基づいて、携帯電話機の所持者の疲労度が推定され、その疲労度に応じたルートが提供されることになる。例えば、経路情報として、混雑しやすいものの誰もが迷いにくい国道等を利用するルート、慣れていないと迷いやすいもののほとんど混雑しない農道等を利用するルート、さらには遠距離となった場合は高速道路を利用するルートが記憶部に記憶されている。そして、携帯電話機の所持者の疲労度が大きな場合は、高速道路を利用するルートが経路情報として提供され、また、携帯電話機の所持者の疲労度が中程度の場合は、慣れていないと迷いやすいもののほとんど混雑しない農道等を利用するルートが経路情報として提供され、また、携帯電話機の所持者の疲労度が小さな場合は、混雑しやすいものの誰もが迷いにくい国道等を利用するルートが経路情報として提供されることが考えられる。このようなカーナビにて提供される経路情報は、このような条件、あるいは種類に限らず、様々なものが適用可能であることは言うまでもない。
【００７３】
また、本発明においては、情報処理装置内の処理は上述の専用のハードウェアに基づいて実現されるもの以外に、その機能を実現するためのプログラムを情報処理装置にて読取可能な記録媒体に記録し、この記録媒体に記録されたプログラムを情報処理装置に読み込ませ、実行するものであっても良い。情報処理装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、情報処理装置に内蔵されたＨＤＤ等を指す。この記録媒体に記録されたプログラムは、例えば、制御ブロックにて読み込まれ、制御ブロックの制御に基づいて、上述したものと同様の処理が行われる。
【符号の説明】
【００７４】
１０    行動割出部
２０，１２０，３２０    負荷推定部
３０    移動情報提供部
１１１，２１１    位置情報取得部
１１２，２１２    移動割出部
１３１，２３１，３３１    経路検索部
１３２，２３２，３３２    表示部
１４０，２４０，３４０    入力部
１５０，２５０，３５０    記憶部
１５１    Ｗａｌｋ  ｔｉｍｅ
１５２，２５２，３５２    経路情報
１６０，２６０    制御部
２５１    残業時間
３１１    時刻取得部
３１２    睡眠時間算出部
３５１    睡眠時間
３７０    報知部
【図１】
2012225820.tif 000003
【図２】
2012225820.tif 000004
【図３】
2012225820.tif 000005
【図４】
2012225820.tif 000006
【図５】
2012225820.tif 000007
【図６】
2012225820.tif 000008
【図７】
2012225820.tif 000009